Podtech/llm-jp-corpus-v4-ja_patent huggingface dataset:
【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
スピンドル（５０）、及び、関連するスピンドル（５０）に取り付け可能なキャリア（６８）の一方と、
前記スピンドル（５０）及び前記キャリア（６８）の前記一方に、せん断パターンで取り付けられて、前記スピンドル及び前記関連するスピンドル（５０）の一方の半径に対して直交する方向のねじり力によるせん断歪みを測定するための歪みゲージグリッド（５６、５８）と
を備えるトルクセンサ（２６）。
【請求項２】
前記キャリア（６８）は、前記関連するスピンドル（５０）の中空の内部（４６）に固定されている、請求項１に記載したトルクセンサ（２６）。
【請求項３】
前記キャリア（６８）は、前記関連するスピンドル（５０）から伝達されるトルク力によってねじれ歪みを生じている間、前記関連するスピンドル（５０）から伝達される曲げ力に起因して、機械的に柔軟性を有している、請求項１に記載したトルクセンサ（２６）。
【請求項４】
前記スピンドル（５０）及び前記キャリア（６８）の前記一方に取り付けられ、そして、前記歪みゲージグリッド（５６、５８）と共通の方向を共有する第２の歪みゲージグリッド（５６、５８）を更に備え、前記共通の方向は、前記スピンドル（５０）及び前記キャリア（６８）の前記一方の中心軸から約４５度であり、前記歪みゲージグリッド（５６、５８）と前記第２の歪みゲージグリッド（５６、５８）とは、放射状に相互に反対方向に配向されている、請求項１に記載したトルクセンサ（２６）。
【請求項５】
前記歪みゲージグリッド（５６、５８）と、前記第２の歪みゲージグリッド（５６、５８）とは、ホイートストンブリッジ配列（６２）に電気的に接続されて、ねじり力によって生じたせん断歪みに比例する電圧を出力する、請求項４に記載したトルクセンサ（２６）。
【請求項６】
請求項１に記載した前記トルクセンサ（２６）と、
前記スピンドル（５０）又は前記関連するスピンドル（５０）によって連結された一対のクランクアーム（１６）と
を備える自転車。
【請求項７】
請求項１に記載した前記トルクセンサ（２６）と、
前記トルクセンサ（２６）からの歪みデータを受信し、
受信された前記歪みデータからトルクを測定し、
測定された前記トルクから算出された出力データを、受信手段（４２）に供給する
ようにプログラムされたプロセッサ（８２）と
を備える出力測定装置（４０）。
【請求項８】
前記プロセッサ（８２）は、更に、
角速度センサ（８４）からの角速度データを受信する
ようにプログラムされており、前記出力データは、測定された前記トルク及び前記角速度データから算出される、
請求項７に記載した出力測定装置（４０）。
【請求項９】
前記角速度センサ（８４）は、ジャイロスコープ、リードスイッチ、ホール効果スイッチ、及び、加速度計のうちの１つ又は複数を備える、請求項８に記載した出力測定装置（４０）。
【請求項１０】
前記プロセッサ（８２）は、前記スピンドル（５０）又は前記関連するスピンドル（５０）の中空の内部（４６）に配置されている、請求項７に記載した出力測定装置（４０）。
【誤訳訂正書】
【提出日】平成26年10月2日(2014.10.2)
【誤訳訂正１】
【訂正対象書類名】明細書
【訂正対象項目名】０００９
【訂正方法】変更
【訂正の内容】
【０００９】
（方法Ｄ）
欧州特許第５４３６６５号では、シロキサンを水蒸気と接触させ、不純物を水蒸気で蒸留して取り出し、分離することにより、長鎖シロキサンを精製する方法が特許権請求されている。不純物は、環状及び短鎖シロキサンを含んでいる。
【誤訳訂正２】
【訂正対象書類名】明細書
【訂正対象項目名】００１０
【訂正方法】変更
【訂正の内容】
【００１０】
本発明は、環状シロキサン及び末端ヒドロキシル基を有する短鎖シロキサンを含む混合物から環状シロキサンを除去する方法であって、環状シロキサンが少なくとも６５０ｈＰａの絶対圧で水蒸気流を使用して分離される方法に関する。
【誤訳訂正３】
【訂正対象書類名】明細書
【訂正対象項目名】００１１
【訂正方法】変更
【訂正の内容】
【００１１】
驚くべきことに、末端ヒドロキシル基を有する短鎖シロキサンは水蒸気により分離されないため、環状シロキサンにより汚染されたシロキサンを水蒸気と接触させた際、末端ヒドロキシル基を有する短鎖低シクレンシロキサンが得られることが分かった。
【誤訳訂正４】
【訂正対象書類名】明細書
【訂正対象項目名】００１７
【訂正方法】変更
【訂正の内容】
【００１７】
沸点に関して、末端ヒドロキシル基を有する短鎖シロキサンと類似の特性を有する環状シロキサンは、短鎖の直鎖状シロキサンの鎖長分布が実質的に変化しないか、又は短鎖シロキサンの個々の成分が除去されることなしに、水蒸気と接触させることにより混合物から除去される。
【誤訳訂正５】
【訂正対象書類名】明細書
【訂正対象項目名】００２１
【訂正方法】変更
【訂正の内容】
【００２１】
シロキサン混合物は水蒸気と、当業者に知られているどのような様式ででも、例えば水蒸気蒸留によって、接触させることができる。この方法は連続的に、又はバッチ様式で、好ましくは連続的に行うことができる。
【誤訳訂正６】
【訂正対象書類名】明細書
【訂正対象項目名】００２２
【訂正方法】変更
【訂正の内容】
【００２２】
末端ヒドロキシル基を有する短鎖シロキサンが水蒸気と一緒に通過してしまうのを防止するために、本方法は、少なくとも６５０ｈＰａの圧力で行う。好ましくは、本方法の圧力は、絶対圧で８００ｈＰａ〜５０００ｈＰａである。特に好ましくは、本方法の圧力は、絶対圧で９００ｈＰａ〜２０００ｈＰａである。
【誤訳訂正７】
【訂正対象書類名】明細書
【訂正対象項目名】００２３
【訂正方法】変更
【訂正の内容】
【００２３】
本方法は、使用する水蒸気の温度以上の温度で行う。好ましくは、本方法の温度は、１００〜２００℃である。特に好ましくは、本方法の温度は、１００〜１５０℃である。
【誤訳訂正８】
【訂正対象書類名】明細書
【訂正対象項目名】００２４
【訂正方法】変更
【訂正の内容】
【００２４】
水蒸気及び環状シロキサンの分離した混合物は、当業者に知られている方法により、例えば冷却装置で凝縮により、凝結させる。それによって、プロセス温度より低い温度における水溶性が比較的乏しい環状シロキサンは、好ましくは物理的分離操作（相分離）により、凝縮した水蒸気から分離し、所望により、独国特許出願公開第２６３０７４４Ａ号に記載されている方法と類似の方法で再使用することができる。
【誤訳訂正９】
【訂正対象書類名】明細書
【訂正対象項目名】００２７
【訂正方法】変更
【訂正の内容】
【００２７】
例
２ｌフラスコを約２／３水で満たし、沸騰するまで加熱する。出発混合物として表１に挙げた組成の混合物２３０ｇで満たして１００℃に加熱し、かつ、維持した５００ｍｌフラスコに、得られた水蒸気を導入点が液体表面の下になるように通す。
【誤訳訂正１０】
【訂正対象書類名】明細書
【訂正対象項目名】００２８
【訂正方法】変更
【訂正の内容】
【００２８】
５００ｍｌフラスコの温度を、できるだけ少ない量の水がその中で凝縮するように制御する（温度は常に＞１００℃）。混合物を通過した水蒸気は、傾斜して上昇する冷却器中で凝縮させ、凝縮液を別のフラスコ中に集める。水蒸気は、冷却器の流出液が相分離を最早示さなくなるまで、混合物に通す。
【誤訳訂正１１】
【訂正対象書類名】明細書
【訂正対象項目名】００３７
【訂正方法】変更
【訂正の内容】
【００３７】
表５：蒸留液の組成
【表５】
2014521763.tif 000001
【誤訳訂正１２】
【訂正対象書類名】特許請求の範囲
【訂正対象項目名】全文
【訂正方法】変更
【訂正の内容】
【特許請求の範囲】
【請求項１】
一般式（Ｉ）の環状シロキサンと、
【化１】
2014521763.tif 000002
［式中、
Ｒ１が、１〜１２個の炭素原子を有するアルキル基を表し、
Ｒ２が、前記Ｒ１の意味、５〜３０個の炭素原子を有するアリール基又は２〜１２個の炭素原子を有するアルケニル基を表し、
ｍが、３〜２０の整数値を表す］
末端ヒドロキシル基を有する短鎖シロキサンと
を含む混合物から環状シロキサンを除去する方法であって、
前記環状シロキサンが少なくとも６５０ｈＰａの絶対圧で、水蒸気流を使用して分離され、前記方法を使用した後の前記混合物における前記環状シロキサンの画分が、一般式（Ｉ）の、ｍ＝４〜６の環状シロキサンの合計に基づいて、重量で０〜２００００ｐｐｍの範囲内であり、
前記末端ヒドロキシル基を有する短鎖シロキサンが、一般式（ＩＩ）を有し、
【化２】
2014521763.tif 000003
式中、
Ｒ３が、１〜１２個の炭素原子を有するアルキル基を表し、
Ｒ４が、前記Ｒ３の意味、５〜３０個の炭素原子を有するアリール基又は２〜１２個の炭素原子を有するアルケニル基を表し、
ｎが、２〜１００の整数値を表す、方法。
【請求項２】
前記方法の圧力が絶対圧で８００ｈＰａ〜５０００ｈＰａである、請求項１に記載の方法。
【請求項３】
前記方法の温度が１００〜２００℃である、請求項１または２に記載の方法。
【手続補正書】
【提出日】平成26年7月29日(2014.7.29)
【手続補正１】
【補正対象書類名】特許請求の範囲
【補正対象項目名】全文
【補正方法】変更
【補正の内容】
【特許請求の範囲】
【請求項１】
回転可能な歯科用バーであって、
被駆動部及び作業部を有する細長い本体部を備え、
前記被駆動部は、遠位端部に配置されて歯科用ハンドピース駆動部の駆動要素を受け入れる少なくとも１つのチャネルを有するシャンク部を含む、歯科用バー。
【請求項２】
前記シャンク部に位置し、前記遠位端部と前記作業部との中間の周溝を更に備え、前記周溝は、歯科用ハンドピース内における軸方向の位置決め及び保持のために、前記歯科用ハンドピース内でチャックのデテントを受け入れるように構成されている、請求項１に記載の歯科用バー。
【請求項３】
前記歯科用バーは、バーチューブの内部ボア内に挿脱可能であり、前記バーチューブは、歯科用ハンドピースの駆動ヘッド内に回転可能に取り付けられる、請求項１に記載の歯科用バー。
【請求項４】
前記作業部は、遷移部及びツール部を更に備え、前記遷移部は、前記シャンク部と前記ツール部との間に位置する、請求項１に記載の歯科用バー。
【請求項５】
前記遷移部は、前記ツール部と前記被駆動部とをつなげており、前記ツール部から前記被駆動部にかけて外方にテーパー状になっている、請求項４に記載の歯科用バー。
【請求項６】
前記駆動要素は駆動ピンを備え、前記駆動ピンは前記バーチューブから回転トルクを伝達するように構成されている、請求項３に記載の歯科用バー。
【請求項７】
前記駆動要素が前記少なくとも１つのチャネルの少なくとも１つの対向する壁と係合することによって、トルクが前記バーチューブから伝達される、請求項３に記載の歯科用バー。
【請求項８】
前記駆動要素が一対の交差チャネルによって画定される４つの支柱のうちの少なくとも１つの支柱と係合することによって、回転時に前記バーチューブからトルクが伝達される、請求項３に記載の歯科用バー。
【請求項９】
前記交差チャネルは、前記シャンク部の前記遠位端部を横断し、前記一対の交差チャネルは概ね垂直に交差する、請求項８に記載の歯科用バー。
【請求項１０】
前記周溝は、前記歯科用バーを径方向に位置決め及び保持するよう、前記バーチューブ内で少なくとも１つのデテントを受け入れるように構成されている、請求項２に記載の歯科用バー。
【請求項１１】
前記シャンク部は、概ね円筒形であり、前記歯科用ハンドピースの前記駆動ヘッドに挿入可能である、請求項３に記載の歯科用バー。
【請求項１２】
歯科用ハンドピースのチャックアセンブリであって、
前記チャックアセンブリは、第１の内部ボアを有する中空の円筒形チューブ部、及び、第２の内部ボアを有するチャック部を備え、
前記チャック部は、前記第１の内部ボア内に支持され、共通軸回りに前記チューブ部とともに共回転し、
前記チャック部は、内部に円筒形ツールを保持して支持するように前記第２の内部ボアを画定する環状本体部を備え、
前記チャックアセンブリは、前記チューブ部の第１の端部において前記第１の内部ボアを横断して、前記チューブ部の前記第１の端部に挿入される駆動ピンを備える駆動要素であって、前記駆動ピンは、前記第２の内部ボアに挿入可能な前記ツールの遠位端部と協働して前記ツールにトルクを与える、駆動要素を備える、チャックアセンブリ。
【請求項１３】
前記環状本体部は、リング部と、スロットによって隔てられている複数の細長いスプリングとを更に備え、前記スプリングは、前記リング部から前記共通軸と平行に長手方向に延び、前記チューブ部の内面から離れるように前記共通軸に向かって径方向内側にテーパー状になっており、前記第２の内部ボアに前記ツールが軸方向に挿入されると前記ツールを把持するように可撓である、請求項１２に記載のチャックアセンブリ。
【請求項１４】
前記複数の細長いスプリングの各スプリングは、前記ツールの周溝と係合して、前記ツールを前記チャック部内で軸方向に位置決め及び保持する、径方向内側に突出するデテントを更に備える、請求項１３に記載のチャックアセンブリ。
【請求項１５】
前記チャックアセンブリは、前記チャック部に隣接して前記第１の内部ボア内に位置する解除部を更に含み、前記解除部は、前記ツールを前記第２の内部ボアから解放するのに十分な量、前記スプリングを前記チューブ部の前記内面に向けて変位させるように前記チャック部と係合可能である、請求項１４に記載のチャックアセンブリ。
【請求項１６】
前記解除部は、前記駆動ピンが通る孔を備える楔部を備え、前記楔部は、前記スプリングに隣接して位置決めされるとともに前記第１のボア内で移動可能なテーパー部材を有し、前記楔部が前記スプリング間において軸方向に進むと、前記デテントが前記周溝から脱離し、前記ツールを解放する、請求項１５に記載のチャックアセンブリ。
【請求項１７】
前記チャックアセンブリは、前記解除部に隣接して前記楔部に軸方向の力を加える押しボタンを更に備える、請求項１６に記載のチャックアセンブリ。
【請求項１８】
前記押しボタンは、前記押しボタンを付勢して前記解除部から離す戻りばねを有する、請求項１７に記載のチャックアセンブリ。
【請求項１９】
歯科用ハンドピースであって、ハンドルと、ツール支持型駆動ヘッドと、給気部、給水部又は給電部に前記ハンドピースを接続するスイベルコネクターとを備え、
前記駆動ヘッドは、歯科用ハンドピースのチャックアセンブリを備え、
前記チャックアセンブリは、第１の内部ボアを有する中空の円筒形チューブ部、及び、第２の内部ボアを有するチャック部を備え、
前記チャック部は、前記第１の内部ボア内に支持され、共通軸回りに前記チューブ部とともに共回転し、
前記チャック部は、内部に円筒形ツールを保持して支持するように前記第２の内部ボアを画定する環状本体部を備え、
前記チャックアセンブリは、前記チューブ部の第１の端部において前記第１の内部ボアを横断して、前記チューブ部の前記第１の端部に挿入される駆動ピンを備える駆動要素であって、前記駆動ピンは、前記第２の内部ボアに挿入可能な前記ツールの遠位端部と協働して前記ツールにトルクを与える、駆動要素を備える、歯科用ハンドピース。
【請求項２０】
前記ツールは、回転可能な歯科用バーを更に含み、
前記歯科用バーは、被駆動部及び作業部を有する細長い本体部を備え、
前記被駆動部は、遠位端部に配置されて歯科用ハンドピース駆動部の前記駆動要素を受け入れる少なくとも１つのチャネルを有するシャンク部を含む、請求項１９に記載の歯科用ハンドピース。
【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
掃除機にフィルタバッグを設置するための方法であって、
上部プレートを有するフィルタバッグを提供する過程であって、前記上部プレートの第１の縁部分にはキーが形成されている、該過程と、
前記上部プレートを受容するべく構成されたそり部を提供する過程と、
前記そり部にロックを提供する過程と、
前記そり部の内部に前記上部プレートを位置させる過程と、
前記上部プレートにばね力を付与する過程と、
前記フィルタバッグが前記掃除機に選択的に取り付けられるように、前記キー及び前記ロックを相互に結合する過程とを含むことを特徴とする方法。
【請求項２】
前記キーと前記ロックとを相互に結合するべく前記そり部の位置を調節する過程をさらに含むことを特徴とする請求項１に記載の方法。
【請求項３】
前記ばね力は、前記上部プレートに形成されたばね受容部分に直接加えられ、それによって前記上部プレートを前記ロックに向かって移動して、前記キーと前記ロックとが選択的に取り付けられることを特徴とする請求項１に記載の方法。
【請求項４】
掃除機のためのフィルタバッグであって、
ごみ物質を捕集するためのバッグ部分と、
前記バッグ部分に取り付けられた上部プレートとを備え、
前記上部プレートが、その上に形成されたキーを有する第１の縁部分と、前記第１の縁部分の反対側の第２の縁部分であって、その上に形成された凹形状のばね受容部分を有する、該第２の縁部分とを備えることを特徴とするフィルタバッグ。
【請求項５】
前記キーが複数の歯の反復パターンを含み、各歯が実質的に同じサイズと形状のものであることを特徴とする請求項４に記載のフィルタバッグ。
【請求項６】
前記上部プレートが、４つの縁部分と、アパーチャが形成された中央部分とを備えることを特徴とする請求項４に記載のフィルタバッグ。
【請求項７】
前記キーが、前記掃除機上に形成されたロックに係合することを特徴とする請求項４に記載のフィルタバッグ。
【請求項８】
前記上部プレートと前記キーとが一体的であることを特徴とする請求項４に記載のフィルタバッグ。
【請求項９】
前記上部プレートが、前記バッグ部分に使用される材料より硬い材料で作られることを特徴とする請求項４に記載のフィルタバッグ。
【請求項１０】
掃除機にフィルタバッグを取り付けるための装置であって、
上側フランジと、下側フランジとを含むそり部であって、前記上側フランジ及び前記下側フランジはスロットによって離隔され、前記スロットは、キーが形成されたフィルタバッグの上部プレートと、前記スロットのなかに延在するばねとを受容するべく構成された、該そり部と、
前記そり部に隣接する掃除機ハウジングとを備え、
前記ハウジングは、前記フィルタバッグの一部分と、前記キーと相互に結合するロックとを受容する空隙を含むことを特徴とする装置。
【請求項１１】
前記キーと前記ロックが選択的に相互に結合することを特徴とする請求項１０に記載のフィルタバッグ装置。
【請求項１２】
前記そり部が調節可能であることを特徴とする請求項１０に記載のフィルタバッグ装置。
【請求項１３】
前記そり部がレバーに結合され、前記そり部の位置を調節するべく前記レバーが回転可能であることを特徴とする請求項１０に記載のフィルタバッグ装置。
【請求項１４】
前記そり部が、ロッドを介して前記レバーに結合されることを特徴とする請求項１０に記載のフィルタバッグ装置。
【請求項１５】
前記ロックが、前記キーに係合するように形成されることを特徴とする請求項１１に記載のフィルタバッグ装置。
【請求項１６】
前記そり部は、前記上側フランジ及び前記下側フランジに取り付けられる壁部をさらに含むことを特徴とする請求項１０に記載のフィルタバッグ装置。
【請求項１７】
前記上側フランジ及び前記下側フランジの両方にアパーチャが形成され、前記下側フランジに形成されたアパーチャが、前記上側フランジに形成されたアパーチャより大きいことを特徴とする請求項１０に記載のフィルタバッグ装置。
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
コラーゲンと細胞増殖因子を含み、吸水量が質量基準で５２倍よりも大きいことを特徴とする複合コラーゲンスポンジ。
【請求項２】
弾性率が７０．０Ｎ／ｃｍよりも大きいことを特徴とする請求項１に記載の複合コラーゲンスポンジ。
【請求項３】
ロイシン、イソロイシン、グリシン、アラニンおよびセリンから選ばれた少なくとも１種であるアミノ酸と、グルコース、ラクトース、スクロース、トレハロースおよびマンニトールから選ばれた少なくとも１種である糖と、アルブミンとを（１〜１１）：（１．２５〜１７．５）：（１〜７．５）の重量比で含む保護剤をさらに含み、複合コラーゲンスポンジに対して保護剤の含有量が１０重量％〜５０重量％であることを特徴とする請求項２に記載の複合コラーゲンスポンジ。
【請求項４】
前記保護剤はグリセリンをさらに含む、請求項３に記載の複合コラーゲンスポンジ。
【請求項５】
コラーゲン、細胞増殖因子及び請求項３または請求項４のいずれか１項に記載の保護剤を含むことを特徴とする複合コラーゲンスポンジ。
【請求項６】
ＣＭ５２陽イオン交換樹脂の分取クロマトグラフィーであり且つ使用される溶離液が濃度が０．２ｍｏｌ／Ｌ〜０．８ｍｏｌ／Ｌである塩化ナトリウムと、濃度が０．１ｍｏｌ／Ｌである酢酸ナトリウムと、を含むｐＨ４．５の水溶液であるイオン交換クロマトグラフィーを用いた精製過程を含むコラーゲン精製工程を含む、請求項１〜請求項５のいずれか１項に記載の複合コラーゲンスポンジを製造する方法。
【請求項７】
コラーゲン溶液において有機溶剤／洗浄剤によりウイルスを不活性化する過程である第１のウイルス不活性化の過程、及び
複合コラーゲンスポンジを９０℃〜１００℃で３０分間〜１２０分間水浴処理する第２のウイルス不活性化の過程、
という二段ウイルス不活性化の過程を含むウイルス不活性工程を含む、請求項６に記載の方法。
【請求項８】
前記有機溶剤／洗浄剤は、ポリソルベート８０とリン酸トリブチルの混合物であり、前記コラーゲン溶液における前記ポリソルベート８０と前記リン酸トリブチルの添加量は、前記ポリソルベート８０の終濃度が１％、前記リン酸トリブチルの終濃度が０．３％である請求項７に記載の方法。
【請求項９】
コラーゲンの濃度が３０ｍｇ／ｍｌ〜７０ｍｇ／ｍｌであるように制御された条件下で、前記コラーゲン溶液に前記ポリソルベート８０と前記リン酸トリブチルを含む混合滅菌水溶液を徐々に添加し、前記ポリソルベート８０の終濃度が１％、前記リン酸トリブチルの終濃度が０．３％となるようにするとともに、２４℃〜２６℃でウイルスを６〜８時間不活性化することを特徴とする請求項８に記載の方法。
【請求項１０】
ロイシン、イソロイシン、グリシン、アラニンおよびセリンから選ばれた少なくとも１種であるアミノ酸と、グルコース、ラクトース、スクロース、トレハロースおよびマンニトールから選ばれた少なくとも１種である糖と、アルブミンとを（１〜１１）：（１．２５〜１７．５）：（１〜７．５）の重量比で含む保護剤の存在下で前記第２のウイルス不活性化の過程を実施し、前記コラーゲン溶液に添加される前記保護剤の量は、前記保護剤を構成する前記アミノ酸の終濃度が２．０ｍｇ／ｍｌ〜２２ｍｇ／ｍｌ、前記糖の終濃度が２．５  ｍｇ／ｍｌ〜３５ｍｇ／ｍｌ、前記アルブミンの終濃度が２ｍｇ／ｍｌ〜１５ｍｇ／ｍｌとなる量である請求項７〜請求項９のいずれか１項に記載の方法。
【請求項１１】
前記保護剤はグリセリンをさらに含み、前記コラーゲン溶液に添加される前記グリセリンの終濃度が１．０ｍｇ／ｍｌ〜１５ｍｇ／ｍｌである請求項１０に記載の方法。
【手続補正書】
【提出日】平成26年8月18日(2014.8.18)
【手続補正１】
【補正対象書類名】特許請求の範囲
【補正対象項目名】全文
【補正方法】変更
【補正の内容】
【特許請求の範囲】
【請求項１】
グラウンド端子（ＧＮＤ）と測定端子（Ｕ）との間の高電圧を測定する適応型分圧器であって、
第１の分岐部であって、該第１の分岐部は、インピーダンス素子（Ｑ、Ｐ）の第１のセットであって、前記グラウンド端子（ＧＮＤ）と前記測定端子（Ｕ）との間に接続され、複数の構成の間で切換え可能であり、少なくとも１つの構成において、該インピーダンス素子（Ｑ、Ｐ）の第１のセットは分圧器回路を形成する、インピーダンス素子（Ｑ、Ｐ）の第１のセットと、前記第１の分岐部の前記インピーダンス素子（Ｑ、Ｐ）の少なくとも一方の電圧を測定するように構成される電圧計（ＡＤ１、ＡＤ３）を有する、第１の分岐部と、
第２の分岐部であって、該第２の分岐部は、前記グラウンド端子（ＧＮＤ）と前記測定端子（Ｕ）との間に接続される分圧器回路を形成するインピーダンス素子（Ｚ、Ｒ）の第２のセットと、前記第２の分岐部の前記インピーダンス素子（Ｚ、Ｒ）の一方の電圧を測定するように構成される電圧計（ＡＤ２）とを有する、第２の分岐部と、
制御回路（ＤＣＳＳ）であって、該制御回路（ＤＣＳＳ）は、少なくとも１つのスイッチ（Ｓｗ）を用いて、該第１の分岐部の前記構成を前記第１の分岐部の前記複数の構成の間で連続的に変更し、前記第１の分岐部の連続した複数の構成のために測定される前記電圧計（ＡＤ１、ＡＤ２、ＡＤ３）の出力の関数として計算される、前記第２の分岐部の複数の前記インピーダンス素子（Ｚ、Ｒ）の値の間の関係に基づく前記分圧器のトランスミタンスを決定するために構成される、制御回路と
を備える適応型分圧器。
【請求項２】
前記第２の分岐部は、ボルテージフォロアー（Ｗ２）が接続される第２のインピーダンス素子（Ｒ）と直列に接続される第１のインピーダンス素子（Ｚ）を有し、前記ボルテージフォロアー（Ｗ２）は電圧計（ＡＤ２）に更に接続され、
前記第１の分岐部は、ボルテージフォロアー（Ｗ１）が接続される第２のインピーダンス素子（Ｐ）と直列に接続される第１のインピーダンス素子（Ｑ）を有し、前記ボルテージフォロアー（Ｗ１）は電圧計（ＡＤ１）に更に接続され、前記第１の分岐部は、前記インピーダンス素子（Ｐ）の第２の端子を、前記グラウンド端子（ＧＮＤ）又は増幅器（Ｗ３）の出力に切換え可能に接続するスイッチ（Ｓｗ）を更に有し、前記増幅器（Ｗ３）の前記出力は電圧計（ＡＤ３）に接続される、請求項１に記載の適応型分圧器。
【請求項３】
前記第１の分岐部は、
前記スイッチ（Ｓｗ）が前記インピーダンス素子（Ｐ）を前記グラウンドに接続する第１の構成と、
前記スイッチ（Ｓｗ）が前記インピーダンス素子（Ｐ）を前記増幅器（Ｗ３）の前記出力に接続する第２の構成と、
の間で切換え可能である、請求項２に記載の適応型分圧器。
【請求項４】
前記第２の分岐部は、電圧計（ＡＤ２）が接続される第２のインピーダンス素子（Ｒ）と直列に接続される第１のインピーダンス素子（Ｚ）を有し、
前記第１の分岐部は、スイッチ（Ｓｑ、Ｓｔｐ、Ｓｗ）によって少なくとも３つの構成に接続可能な少なくとも３つのインピーダンス（Ｑ、Ｔ、Ｐ）を有し、第１の構成は、前記第１のインピーダンス（Ｑ）と前記第２のインピーダンス（Ｔ）との直列接続を含み、第２の構成は、前記第１のインピーダンス（Ｑ）と第３のインピーダンス（Ｐ）との直列接続を含み、第３の構成は、前記少なくとも３つのインピーダンス（Ｑ、Ｔ、Ｐ）の全ての直列接続を含む、請求項１に記載の適応型分圧器。
【請求項５】
前記第１の分岐部は、第２のスイッチ（Ｓｗ）によって前記グラウンド端子（ＧＮＤ）に接続される共通端子を有する第２のインピーダンス（Ｔ）と第３のインピーダンス（Ｐ）との間で切換え可能なセレクタ端子を有する第１のセレクタスイッチ（Ｓｑ）と直列接続される第１のインピーダンス（Ｑ）を有し、前記第１の分岐部は、前記第１のセレクタスイッチ（Ｓｑ）の前記セレクタ端子と前記グラウンド端子（ＧＮＤ）との間に第３のスイッチ（Ｓｔｐ）を更に有する、請求項４に記載の適応型分圧器。
【請求項６】
ＣＭＲＲの影響を最小にするように、前記第２のインピーダンス（Ｔ）と前記第３のインピーダンス（Ｐ）との直列接続と並列に前記第３の構成で接続可能な回路（Ｗｗ、Ｗｉ、Ｔ１、Ｐ１）を更に備える、請求項５に記載の適応型分圧器。
【請求項７】
前記第１の分岐部及び前記第２の分岐部はそれぞれ、複数の相互ロード式分圧器で形成するチェーンを有する、請求項１から６の何れか１項に記載の適応型分圧器。
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
画像内の複数のエッジに基づいて前記画像の鮮明度を評価する撮像システムであって  、
１つ以上の参照勾配曲線および／または参照勾配のシーケンスを定義するデータを（記憶するためのメモリ手段）格納するメモリまたはレジスタのバンク
を備えることを特徴とする撮像システム。  
【請求項２】
前記データは、前記の１つ以上のシーケンスの中の少なくとも１つにおいて、ある参照勾配から参照ピークまでの間隔を規定することを特徴とする請求項１において記載した撮像システム。  
【請求項３】
評価ユニットをさらに備え、
前記評価ユニットは、前記複数のエッジのうちの一つを亘る勾配プロファイルと、前記メモリにおいて定義された参照勾配のシーケンスまたは参照勾配曲線を比較するように構成されており、
前記参照勾配のシーケンスまたは参照勾配曲線は、前記前記一つ以上の参照勾配曲線またはシーケンスのうちの一つである
ことを特徴とする請求項１において記載した撮像システム。
【請求項４】
前記評価ユニットは、前記参照勾配のシーケンスまたは参照勾配曲線のパラメータと前記勾配プロファイルから測定されたパラメータを比較する
ことを特徴とする請求項３において記載した撮像システム。
【請求項５】
前記評価ユニットは演算回路を備えることを特徴とする請求項４において記載した撮像システム。
【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
吸気された空気（Ａ）を浄化するための少なくとも１つのフィルター（３２、３４）を備える固定式ガスタービン（１０）を運転するための方法（３９）であって、
前記フィルターでの圧力損失をなくすために、断続的に、部分的にあるいは完全にフィルターに通されていない外気（Ａ）が前記固定式ガスタービン（１０）に流入することを特徴とする方法（３９）。
【請求項２】
周波数維持のため、および／または、前記ガスタービン（１０）の動力出力を増大させるために実行される、請求項１に記載の方法（３９）。
【請求項３】
フィルターに通されていない外気（Ａ）は、予め定められた時間以下の期間にわたって流入する、請求項１または２に記載の方法（３９）。
【請求項４】
フィルターに通されていない外気（Ａ）の吸気が終了すると、圧縮機（１２）が洗浄される、請求項１、２または３に記載の方法（３９）。
【請求項５】
固定式ガスタービン（１０）の取り込んだ空気（Ａ）のための吸気ダクト（３０）であって、前記吸気ダクト（３０）内に配置され、前記吸気ダクト（３０）に流すことができる前記取り込んだ空気（Ａ）を浄化するための、少なくとも１つのフィルター（３２、３４）を有する吸気ダクト（３０）において、
前記フィルター（３２、３４）もしくは複数のフィルター（３２、３４）を迂回するためのバイパス、および／または、前記フィルター（３２、３４）の下流に配置された、少なくとも１つの、閉じることができる開口部が、外気（Ａ）を入れるために前記吸気ダクト（３０）の壁部に設けられていることを特徴とする吸気ダクト（３０）。
【請求項６】
前記閉じることができる開口部がフラップ（３６）として形成されている、請求項５に記載の吸気ダクト（３０）。
【手続補正書】
【提出日】平成26年7月17日(2014.7.17)
【手続補正１】
【補正対象書類名】特許請求の範囲
【補正対象項目名】全文
【補正方法】変更
【補正の内容】
【特許請求の範囲】
【請求項１】
ボトムフレーム、前記ボトムフレーム上に取り付けられた回路基板、前記回路基板上に取り付けられた熱パッド、及び前記熱パッドに関連するヒートシンクを含む電子装置のための締め具であって、
少なくとも前記ボトムフレーム上に確定された複数のはめ込みロケーションと係合して、前記ヒートシンクを、前記ボトムフレームと前記締め具との間に配置された前記回路基板に対して保持するバイアス力を供給するように構成された複数のリテーナーを有する外周を確定するフレームであって、前記ヒートシンクは中央くぼみ部分を囲むグルーブを有する平面部分を含み、前記締め具は、前記ヒートシンクの中央くぼみ部分と前記回路基板との間に、前記回路基板の前記熱パッドを固定する、フレームと、
前記グルーブにより受け入れられ、互いにクロスする複数のワイヤと
を有する、締め具。
【請求項２】
前記複数のワイヤは、前記ヒートシンクの中央くぼみ部分の内面に沿って下向きに延在する中央部分を含む、請求項１に記載の締め具。
【請求項３】
前記ヒートシンクは、前記回路基板上の第２の発熱コンポーネントに接触する第２の中央くぼみ部分を有する、請求項１または２に記載の締め具。
【請求項４】
前記ボトムフレームは、対向するサイドに、スロットを有する垂直延在部分を含み、
前記ヒートシンクは、前記ボトムフレームのスロットにスナップされ、前記ヒートシンクを前記ボトムフレームに固定するクリップを有する垂直エクステンションを含む、
請求項１ないし３いずれか一項に記載の締め具。
【請求項５】
前記リテーナーは、前記ボトムフレームと前記ヒートシンクのはめ込みロケーションに受け入れられるＵ字形またはＶ字形のコンターを含む、
請求項１ないし４いずれか一項に記載の締め具。
【請求項６】
前記リテーナーは、第１の垂直部分、下部水平部分、及び前記ボトムフレームと前記ヒートシンクのはめ込みロケーションに受け入れられる第２の垂直部分を含む、請求項１ないし５いずれか一項に記載の締め具。
【請求項７】
ボトムフレームと、
前記ボトムフレーム上に取り付けられた回路基板と、
前記回路基板上に取り付けられた熱パッドと、
前記熱パッドに関連するヒートシンクと、
前記ヒートシンクを前記熱パッドに対して保持するバイアス力を提供する締め具とを有する電子装置であって、
少なくとも前記ボトムフレーム上に確定された複数のはめ込みロケーションと係合するように構成された複数のリテーナーを有する外周を確定するフレームと、互いにクロスする複数のワイヤとを有する前記締め具と、
前記平面部に前記ワイヤを受け入れるグルーブを有する前記ヒートシンクと
を有する、電子装置。
【請求項８】
前記平面部分は、中央くぼみ部分を囲み、前記締め具は、前記回路基板の熱パッドを前記ヒートシンクの中央くぼみ部分と前記回路基板との間に固定する、請求項７に記載の電子装置。
【請求項９】
前記複数のワイヤは前記ヒートシンクの上面にわたりバイアス力が印加されるような寸法である、請求項７または８に記載の電子装置。
【請求項１０】
前記複数のワイヤは、前記ヒートシンクの中央くぼみ部分の内面に沿って下向きに延在する中央部分を含む、
請求項７ないし９いずれか一項に記載の電子装置。
【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
安全ヘルメットまたはヘッドピースであって、該安全ヘルメットまたはヘッドピースは、
光源と、
該光源の向きを制御するための手段であって、それにより、該光源からの光は、該ヘルメットまたはヘッドピースの向きにかかわらず、上向きの方向でビームとして放出する、手段と
を含む、安全ヘルメットまたはヘッドピース。
【請求項２】
前記ビームは、１つ以上のレーザー光源によって放射された単一のビームまたは平行ビームである、請求項１に記載の安全ヘルメットまたはヘッドピース。
【請求項３】
前記光源の向きを制御するための手段は、前記安全ヘルメットまたはヘッドピースに該光源を据え付けるジンバル（ｇｉｍｂｌｅ）を含む、請求項１または請求項２に記載の安全ヘルメットまたはヘッドピース。
【請求項４】
前記光源は、バッテリー動力である、請求項１〜３のいずれかに記載の安全ヘルメットまたはヘッドピース。
【請求項５】
前記光源は、前記安全ヘルメットまたはヘッドピースの着用者によって体験される突然の減速、衝突および／または方向の変化に起因して自動に作動されるように適合されている、請求項１〜４のいずれかに記載の安全ヘルメットまたはヘッドピース。
【手続補正２】
【補正対象書類名】明細書
【補正対象項目名】００２１
【補正方法】変更
【補正の内容】
【００２１】
好ましい例において、光源はまた、電力を節約し、かつバッテリー寿命を延ばすために、光の間欠放射を提供するように動作され得る。
本願明細書は、例えば、以下の項目も提供する。
（項目１）
安全ヘルメットまたはヘッドピースであって、該安全ヘルメットまたはヘッドピースは、該ヘルメットまたはヘッドピースの上部または頂部に配置される入射光源と、該光源の向きを制御するための手段とを有し、光は、該ヘルメットまたはヘッドピースの向きにかかわらず、ビームとして実質的に垂直かつ上向きに放出する、安全ヘルメットまたはヘッドピース。
（項目２）
前記ビームは、１つ以上のレーザー光源によって放射された単一のビームまたは平行ビームである、項目１に記載の安全ヘルメットまたはヘッドピース。
（項目３）
前記光源は、前記ビームが、前記ヘルメットまたはヘッドピースの向きにかかわらず、常に実質的に垂直の上向きの方向で放出するように、ジンバル（ｇｉｍｂｌｅ）据え付けを介して該ヘルメットまたはヘッドピース上に据え付けられる、項目１または項目２に記載の安全ヘルメットまたはヘッドピース。
（項目４）
機械的、コンピュータ制御、電子的またはジャイロの手段は、前記光源を垂直かつ上向きの方向に指示するために使用される、項目１または項目２に記載の安全ヘルメットまたはヘッドピース。
（項目５）
前記光のビームまたは列は、任意の浮遊粉塵粒子、煙または霧によって、トンネルまたは地下採掘場所の天井から反射されたポイントまたは消火活動のときのポイントとして反射され得、ユーザが負傷し、地面に横になる場合に、光の列および反射のポイントは、なお、このような状況の該ユーザの所在を示す、項目１〜４のいずれかに記載の安全ヘルメットまたはヘッドピース。
（項目６）
前記安全ヘルメットまたはヘッドピースは、ダイバーまたは他の水中の応用のために具体的に適合され、該ヘッドピースは、該ヘッドピースの上部に配置される光源を有し、該光源は、該ヘッドピースが着用される場合に、該ダイバーの向きまたは位置にかかわらず、実質的に垂直かつ上向きにビームを放射するように構成される、項目１〜４のいずれかに記載の安全ヘルメットまたはヘッドピース。
（項目７）
前記ビームは、前記ダイバーの所在をレスキューチームに示すために、任意の水性粒子によって、水の表面下の列および該水の該表面上または上方の反射として反射される、項目６に記載の安全ヘルメットまたはヘッドピース。
（項目８）
前記安全ヘルメットまたはヘッドピースは、消防士のために具体的に適合され、該ヘルメットまたはヘッドピースは、該ヘルメットまたはヘッドピースの上部に配置される光源を有し、該光源は、該ヘッドピースが着用される場合に、該消防士の向きまたは位置にかかわらず、実質的に垂直かつ上向きにビームを放射するように構成される、項目１〜４のいずれかに記載の安全ヘルメットまたはヘッドピース。
（項目９）
前記ビームは、前記消防士の所在を示すために、煙または霧によって、列および反射ポイントとして反射され得る、項目８に記載の安全ヘルメットまたはヘッドピース。
（項目１０）
前記光源は、バッテリー動力である、項目１〜９のいずれかに記載の安全ヘルメットまたはヘッドピース。
（項目１１）
前記バッテリーは、充電可能である、項目１０に記載の安全ヘルメットまたはヘッドピース。
（項目１２）
前記光源は、例えば、緊急の飛行機または航海事故において自動に作動され、水との接触および突然の減速は、該光源を作動させる、項目１〜１１のいずれかに記載の安全ヘルメットまたはヘッドピース。
（項目１３）
前記ヘルメットまたはヘッドピースは、航空または航海安全装備として適合され、海での飛行機墜落事故または災難の生存者は、空中捜査隊によって容易に位置決めされ得る、項目１２に記載の安全ヘルメットまたはヘッドピース。
（項目１４）
前記光源は、前記着用者によって体験した方向の突然の変化がある場合に、例えば、該着用者は、関連のアクティビティを実行するのにおいて通常に体験されない速度で直立した位置から横になる位置まで倒れる場合に、自動に作動される、項目１〜１３のいずれかに記載の安全ヘルメットまたはヘッドピース。
（項目１５）
前記ヘッドピースは、任意タイプのヘッド着用に取り付けられるように適合される、項目１〜１４のいずれかに記載の安全ヘルメットまたはヘッドピース。
（項目１６）
前記光源は、異なる個体を識別し、かつ異なる環境状況下の視界または救助を改善させるために、任意の色または色の混合の光ビームを放射する、項目１〜１５のいずれかに記載の安全ヘルメットまたはヘッドピース。
（項目１７）
前記光源は、光の連続的な放射を提供するように動作されることが可能である、項目１〜１６のいずれかに記載の安全ヘルメットまたはヘッドピース。
（項目１８）
前記光源は、電力を節約し、かつバッテリー寿命を延ばすために、光の間欠放射を提供するように動作されることが可能である、項目１〜１７のいずれかに記載の安全ヘルメットまたはヘッドピース。
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
各々が上面、下面、および側面を有する複数の繊維（２２）を含む複合品であって、
繊維のうちの少なくとも１つの上面および下面のうちの少なくとも１つは刻み目領域（４０）および刻み目領域（４０）の両側の１対の側方領域（４２）を有し、
複数の繊維（２２）は層状に配置され、
１つの層の繊維のうちの少なくとも１つは結合層ペア（２１）を形成するために隣接する層の繊維のうちの少なくとも１つの刻み目領域内に受容される、複合品。
【請求項２】
繊維（２２）は、側方領域（４２）の繊維厚みよりも薄い刻み目領域（４０）の厚みを有する、請求項１に記載の複合品。
【請求項３】
複数の繊維（２２）は、繊維のうちの少なくとも１つの側面が直接隣り合う繊維の側面と実質的に平行となるように、隣り合う配置で位置決めされている、請求項１又は２に記載の複合品。
【請求項４】
上面および下面は各々が刻み目領域（４０）を含み、
少なくとも１つの繊維の上面の刻み目領域は、繊維の下面の刻み目領域とおおむね整列している、請求項１から３のいずれか一項に記載の複合品。
【請求項５】
刻み目領域は対向する対の刻み目側壁（４４）を含み、
刻み目側壁のうちの少なくとも１つは、繊維の上面および下面のうちの少なくとも１つに対して非直角に配向されている、請求項１から４のいずれか一項に記載の複合品。
【請求項６】
繊維（２２）は繊維厚みに対する繊維幅のアスペクト比の断面を有し、
アスペクト比はおよそ３からおよそ５００の範囲である、請求項１から５のいずれか一項に記載の複合品。
【請求項７】
マトリクスおよび繊維のうちの少なくとも１つは、
アクリル、フルオロカーボン、ポリアミド、ポリエチレン、ポリエステル、ポリプロピレン、ポリカーボネート、ポリウレタン、ポリエーテルエーテルケトン、ポリエーテルケトンケトン、ポリエーテルイミドのうちの少なくとも１つを含む熱可塑性プラスチック材料と、
ポリウレタン、フェノール、ポリイミド、ビスマレイミド、ポリエステル、エポキシ、シルセスキオキサンのうちの少なくとも１つを含む熱硬化性材料と、
炭素、炭化ケイ素、およびホウ素のうちの少なくとも１つを含む無機材料と、
Ｅガラス（アルミノホウケイ酸ガラス）、Ｓガラス（アルミノケイ酸塩ガラス）、純石英、ホウケイ酸ガラス、光学ガラスを含むガラスと、
のうちの少なくとも１つで形成されている、請求項１から６のいずれか一項に記載の複合品。
【請求項８】
複合品を製造する方法であって、
上面、下面、および側面を備える複数の繊維を形成するステップ（１０２）と、
繊維の上面および下面のうちの少なくとも１つに刻み目領域および刻み目領域の両側の１対の側方領域を形成するステップ（１０４）と、
複数の繊維を層に配置するステップと、
１つの層の１つの繊維の側方領域を結合層ペア（２１）を形成するために隣接する層の繊維のうちの１つの刻み目領域内に受容するステップと、を含む方法。
【請求項９】
対応する対の繊維の１対の側方領域を刻み目領域（１０６）内に、受容するステップをさらに含む、請求項８に記載の方法。
【請求項１０】
上面および下面の両方に刻み目領域を形成するステップをさらに含む、請求項８又は９に記載の方法。
【請求項１１】
繊維のうちの少なくとも１つの側面が直接隣り合う繊維の側面と実質的に平行になるように、複数の繊維を隣り合う配置で位置決めするステップ（１０８）をさらに含む、請求項８から１０のいずれか一項に記載の方法。
【請求項１２】
繊維の上面および下面のうちの少なくとも１つに対して非直角の角度で刻み目領域の刻み目側壁を形成するステップをさらに含む、請求項８から１１のいずれか一項に記載の方法。
【手続補正書】
【提出日】平成26年8月26日(2014.8.26)
【手続補正１】
【補正対象書類名】特許請求の範囲
【補正対象項目名】全文
【補正方法】変更
【補正の内容】
【特許請求の範囲】
【請求項１】
内側水相、外側油相、およびセル間境界層であって膜貫通タンパク質チャネルが取り込まれた非イオン界面活性剤を含む層を有するセル構造を含む、液膜マトリックスであって、
タンパク質チャネルがアクアポリンまたはアクアグリセロポリンの水チャネルである、液膜マトリックス。
【請求項２】
油相が、ステロール、スクアレン、スクアラン、アルファ−トコフェロール、ホパノイド類、イソプレン類であって、エステル化されたドリコール、グリセロール、ユビキノン、ホホバ油、軽油、アマニ油、ダイズ油、ラッカセイ油、リン脂質安定化スクアレン、またはダイズ油、リン脂質およびグリセロールのエマルジョン、ならびにアルカン類、たとえばデカン、ウンデカン、ドデカン；ならびにその混合物を含むものからなる群から選択される成分を含む、請求項１に記載の液膜マトリックス。
【請求項３】
油相が、非極性炭化水素系溶媒、たとえば炭素原子６〜１２個の非分枝または分枝炭素鎖を有するものを含む、請求項１または２に記載の液膜マトリックス。
【請求項４】
非イオン界面活性剤が、親水基−疎水基−親水基（Ａ−Ｂ−Ａ）型ポロキサマーから選択される、請求項１〜３のいずれか１項に記載の液膜マトリックス。
【請求項５】
非イオン界面活性剤が両親媒性ブロックコポリマーである、請求項１〜３のいずれか１項に記載の液膜マトリックス。
【請求項６】
両親媒性脂質成分をさらに含む、請求項１〜５のいずれか１項に記載の液膜マトリックス。
【請求項７】
アクアポリンまたはアクアグリセロポリンの水チャネルが、Ａｑｐ４、Ａｑｐ１、ＡｑｐＺ、ＳｏＰＩＰ２；１、ならびにそのモノマー、ダイマー、テトラマーおよびより高級オリゴマーならびに機能性バリアントであって、一次配列の変異形、コンジュゲート形およびトランケート形を含むものからなる群から選択される、請求項１〜６のいずれか１項に記載の液膜マトリックス。
【請求項８】
おおよその最大直径が最高１０００μｍであるセルを有し、大部分のセルが好ましくは約２０〜約５０μｍの範囲にある、請求項１〜７のいずれか１項に記載の液膜マトリックス。
【請求項９】
下記の工程：
ａ）ある量の請求項１〜８のいずれか１項に記載の液膜マトリックスをフィルターチャンバーに入れ、これは液膜マトリックスのものより低いかまたは等しい浸透圧を有する第１水性液体（供給溶液）と制御接続し、さらにマトリックスのものより高い浸透圧を有する第２水性液体（抜取溶液）と制御接続して、第１液体と第２液体の間に浸透圧ポテンシャルを形成する；
ｂ）浸透圧勾配が存在する限り、マトリックスに第１液体から純水を吸収させ、純水フラックスを第２液体中へ仲介させる；
ｃ）場合により、抽出した純水を第２液体から分離する；
を含む、水性液体から水を抽出する方法。
【請求項１０】
第１水性液体が、いずれかのタイプの天然水源、たとえば海水、河川水、湖水、汽水、雨水、アクアポリン水チャネルに対して有毒でない廃水、下記を含めた生物性流体：ワイン、果実および野菜のジュース、ミルク、全血、血漿、尿、唾液、汗、ホモジナイズした組織などからなる群から選択される、請求項９に記載の方法。
【請求項１１】
請求項１〜８のいずれか１項に記載の１以上の液膜マトリックスを含む、水性液状媒体から純水を抽出するための装置。
【請求項１２】
水性液状媒体から純水を抽出するための装置であって、請求項１〜８のいずれか１項に記載の１以上のアクアポリン含有−液膜マトリックスを含むフィルターハウスを有する装置。
【請求項１３】
装置が中空繊維モジュールである、請求項１２に記載の装置。
【請求項１４】
装置が、２モジュール型の中空繊維  液−液膜コンタクターモジュールまたは液体セル−エキストラフローメンブレンコンタクターである、請求項１２に記載の装置。
【請求項１５】
正浸透作用を用いて液状媒体から水を抽出するのに適した液膜マトリックスを調製する方法であって、非イオン界面活性剤の水溶液と緩衝化した水性アクアポリンタンパク質調製物および油とを混和し、続いて回転混合し、生成したエマルジョンを分離させ、生成する拡張した油／水−中間相を抜き出し、これが液膜マトリックスを構成することを含む方法。
【請求項１６】
正浸透作用により純水を抽出するための、請求項１〜８のいずれか１項に記載の液膜マトリックスの使用。
【請求項１７】
血液透析により失われた患者血漿から純水を再抽出するための、請求項１〜８のいずれか１項に記載の液膜マトリックスの使用。
【請求項１８】
実質的に平坦な多孔質フィルター材料が請求項１〜８のいずれか１項に記載の液膜マトリックスの層の両側の支持を提供し、これにより層を固定化した、閉鎖サンドイッチ構造を有する支持体付き液膜マトリックス。
【請求項１９】
実質的に平坦な多孔質フィルター材料が請求項１〜８のいずれか１項に記載の液膜マトリックスの層の片側の支持を提供し、これにより層を固定化した、開放サンドイッチ構造を有する支持体付き液膜マトリックス。
【手続補正書】
【提出日】平成26年2月21日(2014.2.21)
【手続補正１】
【補正対象書類名】特許請求の範囲
【補正対象項目名】全文
【補正方法】変更
【補正の内容】
【特許請求の範囲】
【請求項１】
（a）有効量のクレビジピンまたは製薬上許容され得るその塩もしくはエステル、
（b）0.001から1.5％w/vで存在する抗菌剤EDTA、
（c）脂質、
（d）乳化剤、
（e）浸透圧調整剤、および
（f）水
を含み、微生物の増殖を阻害する、医薬製剤。
【請求項２】
EDTAが0.001から0.025％w/vで存在する、請求項１に記載の医薬製剤。
【請求項３】
脂質が、ダイズ油、ベニバナ種子油、オリーブ油、綿実油、ヒマワリ油、ゴマ油、ラッカセイ油、トウモロコシ油、中鎖脂肪酸トリグリセリド、トリアセチン、プロピレングリコールジエステル、モノグリセリド、およびそれらの２つ以上の混合物から成る群より選択される、請求項１または２に記載の医薬製剤。
【請求項４】
乳化剤が、卵黄リン脂質類、ダイズリン脂質類、合成ホスファチジルコリン類、精製ホスファチジルコリン類、および水素化ホスファチジルコリン、ならびにそれらの２つ以上の混合物から成る群より選択される、請求項１〜３のいずれか１項に記載の医薬製剤。
【請求項５】
アスコルビン酸ナトリウム、クエン酸ナトリウム、塩酸システイン、硫酸水素ナトリウム、メタ亜硫酸水素ナトリウム、亜硫酸ナトリウム、パルミチン酸アスコルビル、ブチル化ヒドロキシアニソール（BHA）、ブチル化ヒドロキシトルエン（BHT）、没食子酸プロピル、トコフェロール、およびそれらの製薬上許容され得る塩から成る群より選択される抗酸化剤をさらに含む、請求項１〜４のいずれか１項に記載の医薬製剤。
【請求項６】
医薬製剤が6.0から8.8のpHを有する、請求項１〜５のいずれか１項に記載の医薬製剤。
【請求項７】
グリセリン、ポロクサマー類、ポリオキシエチレンヒマシ油誘導体、ポロクサミン類、ステアリン酸ポリオキシエチレン類、ポリオキシエチレンソルビタン脂肪酸エステル、ソルビタン脂肪酸エステル、ポリソルベート類、コハク酸トコフェロールＰＥＧ、コール酸、デオキシコール酸、オレイン酸、および製薬上許容され得るそれらの塩から成る群より選択される共乳化剤をさらに含む、請求項１〜６のいずれか１項に記載の医薬製剤。
【請求項８】
微生物の増殖は、24時間にわたって生存微生物コロニーが10倍（1 log）未満に遅延または抑制される、請求項１〜７のいずれか１項に記載の医薬製剤。